【手続補正書】
【提出日】平成17年3月22日(2005.3.22)
【手続補正１】
【補正対象書類名】明細書
【補正対象項目名】特許請求の範囲
【補正方法】変更
【補正の内容】
【特許請求の範囲】
【請求項１】
送信信号を第１の利得で増幅する送信信号増幅手段と、
ローカル信号を発生するローカル信号発生手段と、
前記ローカル信号を、第２の利得で増幅するローカル信号増幅手段と、
前記送信信号増幅手段により増幅された送信信号に前記ローカル信号増幅手段により増幅されたローカル信号を混合することにより、前記送信信号の周波数を所定の無線周波数帯に周波数変換する周波数変換手段と、
この周波数変換手段により周波数変換された送信信号を一定の利得で増幅する無線周波信号増幅手段と、
この無線周波信号増幅手段により増幅された送信信号が所定レベルとなるように前記第１および第２の利得を制御する利得制御手段とを具備したことを特徴とする無線送信装置。
【請求項２】
送信信号を第１の利得で増幅する送信信号増幅手段と、
ローカル信号を発生するローカル信号発生手段と、
前記ローカル信号を、第２の利得で増幅するローカル信号増幅手段と、
前記送信信号増幅手段により増幅された送信信号に前記ローカル信号増幅手段により増幅されたローカル信号を混合することにより、前記送信信号の周波数を所定の無線周波数帯に周波数変換する周波数変換手段と、
この周波数変換手段により周波数変換された送信信号を第３の利得で増幅する無線周波信号増幅手段と、
この無線周波信号増幅手段により増幅された送信信号が所定レベルとなるように前記第１、第２および第３の利得を制御する利得制御手段とを具備したことを特徴とする無線送信装置。
【請求項３】
ローカル信号を、制御信号により指定される利得で増幅するローカル信号増幅手段と、
送信信号に前記ローカル信号増幅手段により増幅されたのちのローカル信号を混合することにより、前記送信信号の周波数帯を所定の無線周波数帯に周波数変換する周波数変換手段とを具備したことを特徴とする無線送信ユニット。
【手続補正２】
【補正対象書類名】明細書
【補正対象項目名】００１２
【補正方法】変更
【補正の内容】
【００１２】
【課題を解決するための手段】
以上の目的を達成するために第１の本発明の無線送信機は、送信信号を第１の利得で増幅する例えば中間周波用可変増幅器などの送信信号増幅手段と、ローカル信号を発生する例えば発振器などのローカル信号発生手段と、前記ローカル信号を、第２の利得で増幅する例えばローカル用可変増幅器などのローカル信号増幅手段と、前記送信信号増幅手段により増幅された送信信号に前記ローカル信号増幅手段により増幅されたローカル信号を混合することにより、前記送信信号の周波数を所定の無線周波数帯に周波数変換する例えばミキサなどの周波数変換手段と、この周波数変換手段により周波数変換された送信信号を一定の利得で増幅する、例えば第１バンドパスフィルタ、ドライバアンプ、第２バンドパスフィルタおよびパワーアンプからなる無線周波信号増幅手段と、例えば制御回路などの利得制御手段とを備え、この利得制御手段により、前記無線周波信号増幅手段により増幅された送信信号が所定レベルとなるように前記第１および第２の利得を制御するようにした。
【手続補正３】
【補正対象書類名】明細書
【補正対象項目名】００１４
【補正方法】変更
【補正の内容】
【００１４】
また前記目的を達成するために第２の本発明の無線送信機は、送信信号を第１の利得で増幅する例えば中間周波用可変増幅器などの送信信号増幅手段と、ローカル信号を発生する例えば発振器などのローカル信号発生手段と、前記ローカル信号を第２の利得で増幅する例えばローカル用可変増幅器などのローカル信号増幅手段と、前記送信信号増幅手段により増幅された送信信号に前記ローカル信号増幅手段により増幅されたローカル信号を混合することにより、前記送信信号の周波数を所定の無線周波数帯に周波数変換する例えばミキサなどの周波数変換手段と、この周波数変換手段により周波数変換された送信信号を第３の利得で増幅する、例えば第１バンドパスフィルタ、可変ドライバアンプ、第２バンドパスフィルタおよびパワーアンプからなる無線周波信号増幅手段と、例えば制御回路などの利得制御手段とを備え、この利得制御手段により、前記無線周波信号増幅手段により増幅された送信信号が所定レベルとなるように前記第１、第２および第３の利得を制御するようにした。
【手続補正４】
【補正対象書類名】明細書
【補正対象項目名】００１６
【補正方法】変更
【補正の内容】
【００１６】
また前記の目的を達成するために第３の本発明の無線送信ユニットは、ローカル信号を、制御信号により指定される利得で増幅する例えばローカル用可変増幅器などのローカル信号増幅手段と、送信信号に前記ローカル信号増幅手段により増幅されたローカル信号を混合することにより、前記送信信号の周波数帯を所定の無線周波数帯に周波数変換する例えばミキサなどの周波数変換手段とを備えた。
【手続補正５】
【補正対象書類名】明細書
【補正対象項目名】００３８
【補正方法】変更
【補正の内容】
【００３８】
【発明の効果】
第１の本発明の無線送信機は、送信信号を第１の利得で増幅する送信信号増幅手段と、ローカル信号を発生するローカル信号発生手段と、前記ローカル信号を、第２の利得で増幅するローカル信号増幅手段と、前記送信信号増幅手段により増幅された送信信号に前記ローカル信号増幅手段により増幅されたローカル信号を混合することにより、前記送信信号の周波数を所定の無線周波数帯に周波数変換する周波数変換手段と、この周波数変換手段により周波数変換された送信信号を一定の利得で増幅する無線周波信号増幅手段と、利得制御手段とを備え、この利得制御手段により、前記無線周波信号増幅手段により増幅された送信信号が所定レベルとなるように前記第１および第２の利得を制御するようにした。
【手続補正６】
【補正対象書類名】明細書
【補正対象項目名】００３９
【補正方法】変更
【補正の内容】
【００３９】
また第２の本発明の無線送信機は、送信信号を第１の利得で増幅する送信信号増幅手段と、ローカル信号を発生するローカル信号発生手段と、前記ローカル信号を第２の利得で増幅するローカル信号増幅手段と、前記送信信号増幅手段により増幅された送信信号に前記ローカル信号増幅手段により増幅されたローカル信号を混合することにより、前記送信信号の周波数を所定の無線周波数帯に周波数変換する周波数変換手段と、この周波数変換手段により周波数変換された送信信号を第３の利得で増幅する無線周波信号増幅手段と、利得制御手段とを備え、この利得制御手段により、前記無線周波信号増幅手段により増幅された送信信号が所定レベルとなるように前記第１、第２および第３の利得を制御するようにした。
【手続補正７】
【補正対象書類名】明細書
【補正対象項目名】００４０
【補正方法】変更
【補正の内容】
【００４０】
これらにより、周波数特性の悪化を抑えた上で送信出力レベルの可変範囲を十分に確保することのできる無線送信機を提供できる。
また第３の本発明の無線送信ユニットは、ローカル信号を、制御信号により指定される利得で増幅するローカル信号増幅手段と、送信信号に前記ローカル信号増幅手段により増幅されたローカル信号を混合することにより、前記送信信号の周波数帯を所定の無線周波数帯に周波数変換する周波数変換手段とを備えたので、周波数特性の悪化を抑えた上で送信出力レベルの可変範囲を十分に確保することのできる前記第１および第２の発明のような無線送信機を容易に実現可能な無線通信ユニットを提供できる。